(57)【要約】      （修正有）【課題】ロープ支持体とで親綱を挟持して親綱を緊張状態に保持するロープ係止爪のロープ挟持面が損傷するのを防止できるようにした親綱緊張器を提供する。【解決手段】親綱が挿入可能な間隔をおいて対向配置された一対の側板３を有するロープホルダ内にロープ支持体４と、そのロープ支持体４に対向配置された揺動可能なロープ係止爪８とを設け、そのロープ係止爪８のロープ支持体４と対向する外周に、揺動中心までの半径が親綱導入側の一端から他端に向けて次第に大きくなる円弧状のロープ挟持面１０を設ける。ロープ挟持面１０とロープ支持体４の対向面間に挿通された親綱を挟持する係合方向に向けてロープ係止爪を付勢するスプリング１３を設ける。一対の側板３間にロープ係止爪８に係合方向への揺動角を制限するストッパピン１４を設け、そのストッパピン１４によりロープ係止爪８のロープ挟持面１０がロープ支持体４に衝突するのを防止する。【選択図】図１
0003155572.tif 000002
【実用新案登録請求の範囲】
【請求項１】
親綱が挿入可能な間隔をおいて対向配置された一対の側板を有するロープホルダ内に、前記一対の側板に固定されたロープ支持体と、そのロープ支持体に対向配置された揺動可能なロープ係止爪とを設け、前記ロープ係止爪のロープ支持体と対向する外周に、揺動中心までの半径が親綱導入側の一端から他端に向けて次第に大きくなる円弧状のロープ挟持面を設け、そのロープ挟持面と前記ロープ支持体の対向面間に挿通された親綱を挟持する係合方向に向けてロープ係止爪を付勢するスプリングを設け、前記ロープ支持体とロープ係止爪の対向面間に挿通された親綱をロープ係止爪とロープ支持体とで挟持して、親綱を抜け止めするようにした親綱緊張器において、
前記一対の側板間に、前記ロープ係止爪の係合方向への揺動角を制限して、そのロープ係止爪とロープ支持体との対向面間に間隙が形成される状態にロープ係止爪を停止保持するストッパピンを設けたことを特徴とする親綱緊張器。
【請求項２】
前記ロープ係止爪が係合方向に揺動した際の先行側の側面と対向する位置に前記ストッパピンを設け、そのストッパピンに対する前記先行側の側面の当接によりロープ係止爪の係合方向への揺動角を制限するようにした請求項１に記載の親綱緊張器。
【請求項３】
前記ロープ係止爪に、その揺動中心軸を中心とする円弧状の長孔を設け、その長孔内に前記ストッパピンを挿入して両端部を一対の側板で支持し、そのストッパピンに対する長孔の一端の当接によりロープ係止爪の係合方向への揺動角を制限するようにした請求項１に記載の親綱緊張器。
【請求項４】
前記ロープホルダに連結具を介して安全装置付きフックの基端部を回転自在に連結し、その安全装置付きフックのフック本体に設けられた鈎部の先端部に外周に向けて膨出する膨出部を設けた請求項１乃至３のいずれかの項に記載の親綱緊張器。
【考案の詳細な説明】
【技術分野】
【０００１】
この考案は、墜落防止用親綱を張設する際に用いる親綱緊張器に関する。
【背景技術】
【０００２】
一般に、建設現場などの高所で作業を行なう場合、その作業位置に親綱を張設し、一方、作業者の腰部に巻付けた高所作業用安全帯にはフック付きロープを接続し、そのロープ先端のフックを前記親綱に係合して作業者の墜落を防止する安全対策が図られている。
【０００３】
上記親綱の張設に際し、親綱緊張器が用いられる。その親綱緊張器として、特許第３１３４０５４号公報に記載されたものが従来から知られている。この親綱緊張器においては、親綱調節装置に設けられた対向一対の基板間にロープ支承部を設け、そのロープ支承部に対向配置したロープ係止爪板を揺動自在に支持し、そのロープ係止爪板のロープ支承部と対向する外周に親綱の撚り山の形状とピッチに合致する食い込み歯を設け、上記ロープ係止爪板とロープ支承部の対向部間に挿通された親綱に上記食い込み歯が係合する方向に向けてロープ係止爪板を付勢するスプリングを設け、上記ロープ係止爪板とロープ支承部の対向部間に親綱を挿通し、その親綱の外周に対する食い込み歯の係合により親綱を抜止めして、親綱を緊張状態に保持するようにしている。
【考案の概要】
【考案が解決しようとする課題】
【０００４】
ところで、上記従来の親綱緊張器においては、ロープ支承部に対するロープ係止爪板の当接によって、そのロープ係止爪板の係合方向への揺動角度を制限する構成であるため、ロープ係止爪板とロープ支承部の対向部間から親綱が引き抜かれると、ロープ係止爪板がスプリングの弾性力により係合方向に揺動して、食い込み歯がロープ支承部に衝撃的に衝突し、その衝突によって食い込み歯が損傷し易いという問題があった。
【０００５】
ここで、上記食い込み歯が損傷すると、親綱の挟持が不完全となり、万一作業者が足を踏み外して落下し、親綱に荷重が負荷された際に、親綱がロープ係止爪板とロープ支承部の対向部間から抜け出して作業者の墜落を阻止することができず、安全性を確保することができなくなる。
【０００６】
上記の親綱緊張器においては、親綱調節装置に設けられた対向一対の基板に安全装置付きフックを回転自在に連結し、その安全装置付きフックのフック本体を構築物等のフック係合対象物に係合して、親綱を張設するようにしている。そのフック本体は、鈎部の内周をフック係合対象物に係合させる正しい使用状態で所定の強度を得ることができるようになっているが、親綱の張設作業時に、フック本体の鈎部先端がフック係合対象物に形成された小径の孔等に係合される誤った使用がされる場合がある。このとき、作業者の落下によってフック本体に衝撃荷重が負荷されると、強度上の問題から鈎部が開き、フック本体の係合が解除する危険がある。
【０００７】
この考案の課題は、ロープ支持体とで親綱を挟持して親綱を緊張状態に保持するロープ係止爪のロープ挟持面が損傷するのを防止できるようにすること、および、フック本体の誤った使用を未然に防止することができるようにすることである。
【課題を解決するための手段】
【０００８】
上記の課題を解決するため、この考案においては、親綱が挿入可能な間隔をおいて対向配置された一対の側板を有するロープホルダ内に、前記一対の側板に固定されたロープ支持体と、そのロープ支持体に対向配置された揺動可能なロープ係止爪とを設け、前記ロープ係止爪のロープ支持体と対向する外周に、揺動中心までの半径が親綱導入側の一端から他端に向けて次第に大きくなる円弧状のロープ挟持面を設け、そのロープ挟持面と前記ロープ支持体の対向面間に挿通された親綱を挟持する係合方向に向けてロープ係止爪を付勢するスプリングを設け、前記ロープ支持体とロープ係止爪の対向面間に挿通された親綱をロープ係止爪とロープ支持体とで挟持して、親綱を抜け止めするようにした親綱緊張器において、前記一対の側板間に、前記ロープ係止爪の係合方向への揺動角を制限して、そのロープ係止爪とロープ支持体との対向面間に間隙が形成される状態にロープ係止爪を停止保持するストッパピンを設けた構成を採用したのである。
【０００９】
ここで、上記ストッパピンは、ロープ係止爪が係合方向に揺動した際の先行側の側面と対向する位置に設け、上記側面をストッパピンに当接させてロープ係止爪を停止保持させるようにしてもよい。
【００１０】
また、ロープ係止爪に、その揺動中心軸を中心とする円弧状の長孔を設け、その長孔内にストッパピンを挿入して両端部を一対の側板で支持し、そのストッパピンに対する長孔の一端の当接によりロープ係止爪の係合方向への揺動角を制限するようにしてもよい。
【００１１】
この考案に係る親綱緊張器において、ロープホルダに連結具を介して安全装置付きフックの基端部を回転自在に連結し、その安全装置付きフックのフック本体に設けられた鈎部の先端部に外周に向けて膨出する膨出部を設けておくと、フック係合対象物に形成された孔にフック本体の鈎部先端が係合されるのを防止することができ、フック本体の誤った使用を未然に防止することができる。
【考案の効果】
【００１２】
上記のように、この考案においては、ロープホルダの一対の側板間にロープ係止爪に係合方向への揺動角を制限して、ロープ挟持面とロープ支持体の対向面間に間隙が形成される状態にロープ係止爪を停止保持するストッパピンを設けたことにより、ロープ支持体とロープ係止爪の対向部間から親綱が引き抜かれ、スプリングの弾性力によりロープ係止爪が係合方向に揺動してもロープ支持体に衝突することがなく、そのロープ支持体とで親綱を挟持するロープ挟持面が損傷するのを防止することができる。
【図面の簡単な説明】
【００１３】
【図１】この考案に係る親綱緊張器の実施の形態を示す正面図
【図２】図１に示す親綱張設器の縦断正面図
【図３】図２の平面図
【図４】親綱の係止状態を示す断面図
【図５】親綱緊張器を用いて親綱を張設した状態の正面図
【図６】この考案に係る親綱緊張器の他の実施の形態を示す縦断正面図
【考案を実施するための形態】
【００１４】
以下、この考案の実施の形態を図面に基づいて説明する。図１に示すように、親綱緊張器は、親綱張設器１と、その親綱張設器１に一端部が連結された連結具２１と、その連結具２１の他端部に連結された安全装置付きフック３１とからなる。
【００１５】
図２および図３に示すように、親綱張設器１は、ロープホルダ２を有している。ロープホルダ２は、対向一対の側板３を備え、その対向一対の側板３間には、図４に示す親綱Ｒが挿入可能な間隔が設けられている。
【００１６】
対向一対の側板３の一端部間には角形のロープ支持体４が組込まれている。ロープ支持体４は、そのロープ支持体４および一対の側板３を貫通する複数のピン５によって一対の側板３に固定されている。ロープ支持体４の上面から内側面および下面に至る部分はロープ案内面６とされ、そのロープ案内面６に断面円弧状のロープ案内溝７が形成されている。ロープ案内溝７のロープ支持体４の内側面に位置する部分は、上端から下端に至る上下方向に凹入状に湾曲している。
【００１７】
なお、ロープ支持体４は角形に限定されるものではなく、円形等の任意の形状を採ることができる。また、図では省略したが、ロープ案内溝７の内面には、複数のストランドの撚り合わせにより形成された親綱Ｒに対して係合可能な凹凸条が設けられて、親綱Ｒの滑りを防止するようになっている。
【００１８】
また、対向一対の側板３間には、ロープ係止爪８が組込まれている。ロープ係止爪８は、ロープ支持体４の内側面に対向する組込みとされ、一対の側板３に両端部が支持された支点軸９を中心にして揺動自在に支持されている。
【００１９】
ロープ係止爪８のロープ支持体４と対向する外周には、親綱導入側の一端から他端に至るに従って支点軸９までの半径が次第に大きくなる円弧状のロープ挟持面１０が形成されている。ロープ挟持面１０には、一端から他端に至る断面円弧状のロープ案内溝１１が形成され、そのロープ案内溝１１の内面に親綱Ｒに対して係合可能な複数の突起１２がロープ案内溝１１の長さ方向に間隔をおいて設けられている。
【００２０】
支点軸９にはスプリング１３が支持されている。スプリング１３は、ロープ係止爪８がロープ支持体４とで親綱Ｒを挟持する係合方向に向けてロープ係止爪８を付勢している。
【００２１】
対向一対の側板３間には、ロープ係止爪８が係合方向に揺動した際の先行側の側面と対向する位置にストッパピン１４が設けられ、そのストッパピン１４に対する上記側面の当接によってロープ係止爪８は係合方向への揺動角が制限される。その制限状態において、ロープ支持体４のロープ案内面６とロープ係止爪８の対向面間に間隙が形成されるようになっている。図２のδは、その間隙の大きさを示している。
【００２２】
図１および図２に示すように、連結具２１は、連結板２２ａの両端に対向一対の側板２２ｂを設けた一対のコの字形の連結枠２２を有し、その一対の連結枠２２の連結板２２ａを対向し、両連結板２２ａを貫通する連結軸２３によって一対の連結枠２２を回転自在に連結した構成とされている。この連結具２１の一方の連結枠２２における一対の側板２２ｂの端部はロープホルダ２の一対の側板３の他端部にピン２４を介して回転自在に連結されている。
【００２３】
また、連結具２１の他方の連結枠２２における一対の側板２２ｂの端部は、安全装置付きフック３１のフック本体３２の基端部にピン２５を介して回転自在に連結されている。
【００２４】
図１に示すように、安全装置付きフック３１は、Ｕの字形の鈎部３３を先端部に有するフック本体３２と、そのフック本体３２の基端部に設けられたピン３４を中心に揺動可能に支持されて、鈎部３３の開口を内側から開閉する片開翼３５と、その片開翼３５を閉鎖状態に保持する安全翼３６とからなり、上記片開翼３５はピン３４に支持されたスプリング３７によって鈎部３３の開口を閉鎖する方向に向けて付勢されている。
【００２５】
安全翼３６は、断面がコの字形とされて一対の側板３６ａを有し、その一対の側板３６ａ間にフック本体３２の基端側端部の外側縁部が嵌合する組付けとされて、その長さ方向の中央部がフック本体３２にピン３８を介して揺動自在に支持されている。また、安全翼３６の後端部には、片開翼３５の揺動中心側の端部一側に連設された係合片３９の先端部に対して係合可能な係合ピン４０が設けられている。
【００２６】
上記安全翼３６は、ピン３８に支持されたスプリング４１により、係合ピン４０が係合片３９と係合する方向に向けて付勢され、その係合ピン４０と係合片３９の係合によって片開翼３５は鈎部３３を閉鎖する状態に保持され、上記安全翼３６の先端部と片開翼３５を握り、安全翼３６を先に揺動させることによって係合片３９に対する係合ピン４０が係合解除し、その係合解除により片開翼３５を開放位置に向けて揺動させることができるようになっている。
【００２７】
安全装置付きフック３１のフック本体３２に形成された鈎部３３の先端部には、外側方に膨出する膨出部４２が設けられている。
【００２８】
実施の形態で示す親綱緊張器は上記の構成からなり、親綱Ｒの張設に際しては、図５に示すように、親綱Ｒの一端部に連結されたフックＦおよび安全装置付きフック３１におけるフック本体３２の鈎部３３のそれぞれを構築物等のフック係合対象物Ａ１、Ａ２に係合し、親綱Ｒの他端部を親綱張設器１のロープ支持体４とロープ係止爪８の対向面間に挿通し、その対向面間から外部に引き出された親綱Ｒの他端部をフックＦ側に向けて引く操作により、親綱Ｒを緊張させるようにする。
【００２９】
親綱Ｒの緊張後、親綱Ｒの他端部の引張りを解除すると、スプリング１３によりロープ係止爪８が係合方向に揺動し、図４に示すように、ロープ係止爪８の突起１２が親綱Ｒに噛み込み、ロープ係止爪８とロープ支持体４とで親綱Ｒが挟持される。その挟持により、親綱Ｒは緊張状態に保持される。
【００３０】
高所での作業に際しては、作業者の腰部に巻付けた高所作業用安全帯にはフック付きロープを接続し、そのロープ先端のフックを前記親綱Ｒに係合して作業者の墜落を防止する。
【００３１】
上記のような親綱Ｒの張設作業の際、フック本体３２の鈎部３３の先端が小径の孔からなるフック係合対象物に誤って係合されると、作業者の落下によってフック本体３２に衝撃荷重が負荷された場合に、フック本体３２の強度上の問題から鈎部３３が開き、係合が解除する危険がある。
【００３２】
しかし、上記鈎部３３の先端部には、外方に膨出する膨出部４２が設けられているため、小径の孔からなるフック係合対象物に鈎部３３が誤って係合されるのを防止することができ、上記鈎部３３の内周がフック係合対象物Ａ２に係合される正しい使用状態を常に確保することができる。
【００３３】
親綱Ｒの取外しに際しては、ストッパピン１４とロープ係止爪８の側面の当接部間にシノー等の工具の先端を差し込んでロープ係止爪８を係合解除方向（図４の矢印で示す方向）に揺動させ、ロープ係止爪８とロープ支持体４の対向面間に親綱Ｒの外径より大きな間隙を形成した状態で、親綱Ｒの他端部を引き抜くようにする。
【００３４】
ここで、親綱Ｒの他端部をロープ係止爪８とロープ支持体４の対向面間から引き抜くと、スプリング１３の弾性力によってロープ係止爪８が係合方向に揺動し、図２に示すように、先行側の側面がストッパピン１４に当接する。その当接によってロープ係止爪８は停止状態に保持される。
【００３５】
このとき、ロープ係止爪８はロープ挟持面１０とロープ支持体４の対向面間には隙間が確保される状態に停止状態に保持されるため、上記ロープ挟持面１０がロープ支持体４に衝撃的に衝突することはなく、ロープ挟持面１０が損傷することはない。
【００３６】
実施の形態では、ロープ挟持面１０にロープ案内溝１１を設け、そのロープ案内溝１１の内面に突起１２を設けるようにしたが、上記ロープ案内溝１１を省略して、ロープ挟持面１０に突起１２を設けるようにしてもよい。この場合、ストッパピン１４に対するロープ係止爪８の側面の当接状態で、ロープ挟持面１０とロープ支持体４の対向部間に突起１２の高さ以上の間隙が形成されるようにして、上記突起１２がロープ支持体４に衝撃的に衝突するのを防止するようにしておく。
【００３７】
図２に示す実施の形態においては、ストッパピン１４に対するロープ係止爪８の側面の当接によって、ロープ係止爪８の係合方向の揺動角を制限するようにしたが、図６に示すように、ロープ係止爪８に支点軸９を中心とする円弧状の長孔１５を形成し、その長孔１５内にストッパピン１４を挿入して両端部を一対の側板３で支持し、そのストッパピン１４に対する長孔１５の一端の当接によってロープ係止爪８の係合方向への揺動角を制限し、その制限状態において、ロープ挟持面１０とロープ支持体４の対向面間に間隙が形成されるようにしてもよい。
【符号の説明】
【００３８】
Ｒ      親綱
２      ロープホルダ
３      側板
４      ロープ支持体
８      ロープ係合爪
１０    ロープ挟持面
１３    スプリング
１４    ストッパピン
１５    長孔
２１    連結具
２２    連結枠
２２ａ  連結板
２２ｂ  側板
２３    連結軸
３１    安全装置付きフック
３２    フック本体
３３    鈎部
４２    膨出部
【図１】
0003155572.tif 000003
【図２】
0003155572.tif 000004
【図３】
0003155572.tif 000005
【図４】
0003155572.tif 000006
【図５】
0003155572.tif 000007
【図６】
0003155572.tif 000008